(57)【要約】【課題】ブラックマトリクスが設けられているにも拘わらずパネル内部の状態を非破壊検査可能な表示パネルを提供する。【解決手段】一方の主面に、複数の画素が配列された表示領域が形成されている第１基板１０と、前記一方の主面に対向配置され、前記表示領域における前記複数の画素を規定する部分に対応した領域、および、前記表示領域を囲繞する周辺領域に対応した領域にブラックマトリクス層２３が形成されている第２基板２０と、を具備し、前記第１基板１０の前記周辺領域には、前記第１基板１０および前記第２基板２０の少なくとも一方に関する情報を標示する情報標示手段４０が設けられ、前記ブラックマトリクス層２３における前記情報標示手段４０に対応した領域には、前記情報標示手段４０が標示する情報を前記第２基板２０越しに認識するための窓部２４が設けられている表示パネル１とする。【選択図】図２
2012252905.tif 000002
【特許請求の範囲】
【請求項１】
一方の主面に、複数の画素が配列された表示領域が形成されている第１基板と、
前記一方の主面に対向配置され、前記表示領域における前記複数の画素を規定する部分に対応した領域、および、前記表示領域を囲繞する周辺領域に対応した領域にブラックマトリクス層が形成されている第２基板と、
を具備し、
前記第１基板の前記周辺領域には、前記第１基板および前記第２基板の少なくとも一方に関する情報を標示する情報標示手段が設けられ、
前記ブラックマトリクス層における前記情報標示手段に対応した領域には、前記情報標示手段が標示する情報を前記第２基板越しに認識するための窓部が設けられている、
表示パネル。
【請求項２】
前記第１基板と第２基板との間には前記表示領域を封止する封止部材が前記表示領域を囲繞するように設けられており、前記封止部材によって前記情報標示手段も囲繞され封止されている、
請求項１に記載の表示パネル。
【請求項３】
前記第１基板には前記表示領域を封止する透光性の封止層が前記表示領域を被覆するように積層されており、前記封止層によって前記情報標示手段も被覆され封止されている、
請求項１または請求項２に記載の表示パネル。
【請求項４】
前記各画素が有機発光素子で構成されている、
請求項１から請求項３のいずれか１項に記載の表示パネル。
【請求項５】
前記情報標示手段の少なくとも一部が前記有機ＥＬ素子に含まれる有機発光層を構成する材料で形成されている、
請求項４記載の表示パネル。
【請求項６】
前記情報標示手段は、前記第１基板の前記一方の主面に表示されたＸＹ座標軸と、前記ＸＹ座標軸で定義されたＸＹ平面上にプロットされたドットパターンで構成され、前記ドットパターンが前記有機発光層を構成する材料で形成されている、
請求項５記載の表示パネル。
【請求項７】
前記情報標示手段は、印刷された文字、バーコードまたはＱＲコードである、
請求項１から請求項３のいずれか１項に記載の表示パネル。
【請求項８】
前記第２基板の端縁から前記窓部までの前記端縁と直交する方向における距離は１０ｍｍ以下である、
請求項１から請求項７のいずれか１項に記載の表示パネル。
【請求項９】
請求項１から請求項８のいずれか１項に記載の表示パネルを備える表示装置。
【請求項１０】
一方の主面に、複数の画素が配列された表示領域が形成されている第１基板と、前記一方の主面に対向配置され、前記表示領域における前記複数の画素を規定する部分に対応した領域、および、前記表示領域を囲繞する周辺領域に対応した領域にブラックマトリクス層が形成されている第２基板と、を具備し、前記第１基板の前記周辺領域には、前記第１基板および前記第２基板の少なくとも一方に関する情報を標示する情報標示手段が設けられ、前記ブラックマトリクス層における前記情報標示手段に対応した領域には窓部が設けられている、表示パネルの検査方法であって、
前記情報標示手段が標示する情報を、前記第２基板越しに前記窓部を介して認識し、認識した情報に基づいて前記第１基板および前記第２基板の少なくとも一方に関する状態を判断する、
表示パネルの検査方法。
【発明の詳細な説明】
【技術分野】
【０００１】
本発明は、表示パネル、表示装置および表示パネルの検査方法に関し、特にブラックマトリクスが設けられた表示パネルに関する。
【背景技術】
【０００２】
従来から、有機発光層を有する有機発光素子等を利用した表示パネルにおいて、ＣＦ（カラーフィルタ）基板の内側に例えば黒色樹脂からなるブラックマトリクスを設けることが行なわれている。このような構成とすれば、ブラックマトリクスの遮光性によってパネル内部への外光の入射を抑えることができるため、内部部品が外光（特に紫外線）に晒され劣化し、表示パネルが短寿命化したり性能劣化したりすることを防止できる。さらに、ブラックマトリクスには、ＣＦ基板越しに内部部品が透けて見えるのを防止したり、外光の照り返しを抑えて表示パネルのコントラストを向上させたりする機能もある。
【先行技術文献】
【特許文献】
【０００３】
【特許文献１】特開２００８−３９９５３号公報
【発明の概要】
【発明が解決しようとする課題】
【０００４】
しかしながら、ブラックマトリクスを設けると、ＣＦ基板越しにパネル内部の状態を確認することができない。そのため、例えば表示パネルに表示不具合が生じ、その不具合がが内部部品の劣化等に因るものか否かを確認したい場合に、ＥＬ（エレクトロルミネッセンス）基板からＣＦ基板を引き剥がして、すなわち表示パネルを解体して、検査を行なわなければならない。これでは表示パネルが壊れてしまうため、パネル内部の状態を非破壊検査可能な構造の表示パネルの開発が望まれている。
【０００５】
本発明は上記の問題点を鑑みてなされたもので、ブラックマトリクスが設けられているにも拘わらずパネル内部の状態を非破壊検査可能な表示パネル、表示装置および表示パネルの検査方法を提供することを目的とする。
【課題を解決するための手段】
【０００６】
本発明の一態様に係る表示パネルは、一方の主面に、複数の画素が配列された表示領域が形成されている第１基板と、前記一方の主面に対向配置され、前記表示領域における前記複数の画素を規定する部分に対応した領域、および、前記表示領域を囲繞する周辺領域に対応した領域にブラックマトリクス層が形成されている第２基板と、を具備し、前記第１基板の前記周辺領域には、前記第１基板および前記第２基板の少なくとも一方に関する情報を標示する情報標示手段が設けられ、前記ブラックマトリクス層における前記情報標示手段に対応した領域には、前記情報標示手段が標示する情報を前記第２基板越しに認識するための窓部が設けられている。
【発明の効果】
【０００７】
本発明の一態様に係る表示パネルは、第１基板の周辺領域に、前記第１基板および第２基板の少なくとも一方に関する情報を標示する情報標示手段が設けられ、ブラックマトリクス層における前記情報標示手段に対応した領域に、前記情報標示手段が標示する情報を前記第２基板越しに認識するための窓部が設けられているため、表示パネルを解体しなくても前記情報標示手段が標示する情報を認識することができる。そのため、ブラックマトリクスが設けられた表示パネルであるにも拘わらず、パネル内部の状態を非破壊検査可能である。したがって、表示パネル個々の出来ばえを商品として出荷後に確認でき、市場での不具合要因解析に効果を発揮する。
【図面の簡単な説明】
【０００８】
【図１】第１の実施形態に係る表示パネルを示す正面図である。
【図２】第１の実施形態に係る表示パネルを示す端面図である。
【図３】図１においてＢで示す部分の拡大図である。
【図４】変形例に係る情報標示手段の態様を説明するための拡大図である。
【図５】変形例に係る窓部の態様を説明するための正面図である。
【図６】第２の実施形態に係る表示パネルを示す端面図である。
【図７】第３の実施形態に係る表示パネルを示す正面図である。
【図８】第３の実施形態に係る表示パネルを示す端面図である。
【図９】第４の実施形態に係る表示装置の全体構成を示す図である。
【図１０】第４の実施形態に係る表示装置を用いたテレビシステムを示す斜視図である。
【発明を実施するための形態】
【０００９】
以下、本発明の一態様に係る表示パネル、表示装置および表示パネルの検査方法について、図面を参照しながら説明する。なお、各図面における部材の縮尺は実際のものとは同じとは限らない。
［本発明の一態様の概要］
本発明の一態様に係る表示パネルは、一方の主面に、複数の画素が配列された表示領域が形成されている第１基板と、前記一方の主面に対向配置され、前記表示領域における前記複数の画素を規定する部分に対応した領域、および、前記表示領域を囲繞する周辺領域に対応した領域にブラックマトリクス層が形成されている第２基板と、を具備し、前記第１基板の前記周辺領域には、前記第１基板および前記第２基板の少なくとも一方に関する情報を標示する情報標示手段が設けられ、前記ブラックマトリクス層における前記情報標示手段に対応した領域には、前記情報標示手段が標示する情報を前記第２基板越しに認識するための窓部が設けられている。
【００１０】
本発明の一態様に係る表示パネルの特定の局面では、前記第１基板と第２基板との間には前記表示領域を封止する封止部材が前記表示領域を囲繞するように設けられており、前記封止部材によって前記情報標示手段も囲繞され封止されている。また、本発明の一態様に係る表示パネルの特定の局面では、前記第１基板には前記表示領域を封止する透光性の封止層が前記表示領域を被覆するように積層されており、前記封止層によって前記情報標示手段も被覆され封止されている。これら構成とすれば、情報標示手段を、表示パネルの内部部品と似た環境下におくことができ、パネル内部からより正確な情報を得ることができる。
【００１１】
本発明の一態様に係る表示パネルの特定の局面では、前記各画素が有機発光素子で構成されている。また、本発明の一態様に係る表示パネルの特定の局面では、前記情報標示手段の少なくとも一部が前記有機ＥＬ素子に含まれる有機発光層を構成する材料で形成されている。これら構成とすれば、情報標示手段を観察することによって、パネル内部に配置される有機発光層の状態を推測し判断することができる。
【００１２】
本発明の一態様に係る表示パネルの特定の局面では、前記情報標示手段は、前記第１基板の前記一方の主面に表示されたＸＹ座標軸と、前記ＸＹ座標軸で定義されたＸＹ平面上にプロットされたドットパターンで構成され、前記ドットパターンが前記有機発光層を構成する材料で形成されている。この構成とすれば、ＸＹ座標軸とドットパターンの組み合わせによって、インク液滴の着弾精度や、ＥＬ基板とインクジェットヘッドとの位置関係などを判断できる。
【００１３】
本発明の一態様に係る表示パネルの特定の局面では、前記情報標示手段は、印刷された文字、バーコードまたはＱＲコードである。
本発明の一態様に係る表示パネルの特定の局面では、前記第２基板の端縁から前記窓部までの前記端縁と直交する方向における距離は１０ｍｍ以下である。この構成とすれば、表示パネル１の狭額縁化を実現できる。
【００１４】
本発明の一態様に係る表示装置は、上記いずれかに記載の表示パネルを備える。
本発明の一態様に係る表示パネルの検査方法は、一方の主面に、複数の画素が配列された表示領域が形成されている第１基板と、前記一方の主面に対向配置され、前記表示領域における前記複数の画素を規定する部分に対応した領域、および、前記表示領域を囲繞する周辺領域に対応した領域にブラックマトリクス層が形成されている第２基板と、を具備し、前記第１基板の前記周辺領域には、前記第１基板および前記第２基板の少なくとも一方に関する情報を標示する情報標示手段が設けられ、前記ブラックマトリクス層における前記情報標示手段に対応した領域には窓部が設けられている、表示パネルの検査方法であって、前記情報標示手段が標示する情報を、前記第２基板越しに前記窓部を介して認識し、認識した情報に基づいて前記第１基板および前記第２基板の少なくとも一方に関する状態を判断する。この構成により、ブラックマトリクスが設けられた表示パネルのパネル内部の状態を非破壊検査可能である。
【００１５】
［第１の実施形態］
＜概略構成＞
図１は、第１の実施形態に係る表示パネルを示す正面図である。図２は、第１の実施形態に係る表示パネルを示す端面図であって、図１に示す表示パネルの一部を横方向に切ったＡ−Ａ’線端面図である。
【００１６】
図１および図２に示すように、第１の実施形態に係る表示パネル１は、ＥＬ基板１０と、ＣＦ基板２０とを具備する。ＥＬ基板１０およびＣＦ基板２０は対向配置されており、方形枠状の封止部材３０を間に挟んだ状態で貼り合わされている。
＜第１基板＞
図２に示すように、第１基板の一例であるＥＬ基板１０の上面（ＣＦ基板２０側の主面。以下の説明では、ＥＬ基板１０を構成する各層についても、ＣＦ基板２０側の面を上面と称する。）には、マトリクス状に配置された複数の画素が配列された表示領域が形成されており、それら各画素が出射するＲ（赤色）、Ｇ（緑色）またはＢ（青色）の光がＣＦ基板２０を透過し、表示パネル１の正面にカラー画像が表示される。また、ＥＬ基板１０の上面には、表示領域を囲繞する周辺領域に情報標示手段４０が設けられている。
【００１７】
なお、図１ではＣＦ基板２０の陰に隠れてＥＬ基板１０が見えないが、図１に示すブラックマトリクス層２３の表示領域対応領域と重なる位置に、ＥＬ基板１０の表示領域が存在している。なお、ブラックマトリクス層２３の表示領域対応領域については後述する。
ＥＬ基板１０は、ＴＦＴ（薄膜トランジスタ）基板１１の上面に、パッシベーション膜１２、平坦化膜１３、アノード１４、バンク１５、有機発光層１６、電子輸送層１７、カソード１８および封止層１９が積層された構造であり、ＥＬ基板１０の表示領域の各画素は、アノード１４、有機発光層１６、電子輸送層１７、カソード１８で構成されるトップエミッション型の複数の有機ＥＬ素子で構成されている。
【００１８】
ＴＦＴ基板１１は、無アルカリガラス、ソーダガラス、無蛍光ガラス、燐酸系ガラス、硼酸系ガラス、石英、アクリル系樹脂、スチレン系樹脂、ポリカーボネート系樹脂、エポキシ系樹脂、ポリエチレン、ポリエステル、シリコーン系樹脂、アルミナ等の絶縁性材料からなる。ＴＦＴ基板１１の上面には複数のＴＦＴおよびその引き出し電極が所定パターンで形成されている。
【００１９】
パッシベーション膜１２は、ＳｉＯ（酸化シリコン）またはＳｉＮ（窒化シリコン）からなる薄膜であって、ＴＦＴおよび引出電極を被覆し、これらを保護している。
平坦化膜１３は、ポリイミド系樹脂またはアクリル系樹脂等の絶縁材料からなり、パッシベーション膜１２の上面の段差を平坦化している。
アノード１４は、Ａｇ（銀）、ＡＰＣ（銀、パラジウム、銅の合金）、ＡＲＡ（銀、ルビジウム、金の合金）、ＭｏＣｒ（モリブデンとクロムの合金）、ＮｉＣｒ（ニッケルとクロムの合金）等の光反射性導電材料からなり、各画素に対応した領域にマトリクス状に形成されている。
【００２０】
バンク１５は、絶縁性の有機材料（例えばアクリル系樹脂、ポリイミド系樹脂、ノボラック型フェノール樹脂等）からなり、アノード１４が形成された領域を避けて形成されている。本実施の形態に係るバンク１５は井桁構造のピクセルバンクであるが、本発明に係るバンクはストライプ構造のラインバンクであっても良い。
有機発光層１６は、バンク１５で規定された各画素に対応した領域に形成されており、表示パネル１の駆動時において、ホールと電子との再結合によりＲ、ＧまたはＢに発光する。有機発光層１６は有機材料で構成されており、有機材料としては、例えば、特開平５−１６３４８８号公報に記載のオキシノイド化合物、ペリレン化合物、クマリン化合物、アザクマリン化合物、オキサゾール化合物、オキサジアゾール化合物、ペリノン化合物、ピロロピロール化合物、ナフタレン化合物、アントラセン化合物、フルオレン化合物、フルオランテン化合物、テトラセン化合物、ピレン化合物、コロネン化合物、キノロン化合物及びアザキノロン化合物、ピラゾリン誘導体及びピラゾロン誘導体、ローダミン化合物、クリセン化合物、フェナントレン化合物、シクロペンタジエン化合物、スチルベン化合物、ジフェニルキノン化合物、スチリル化合物、ブタジエン化合物、ジシアノメチレンピラン化合物、ジシアノメチレンチオピラン化合物、フルオレセイン化合物、ピリリウム化合物、チアピリリウム化合物、セレナピリリウム化合物、テルロピリリウム化合物、芳香族アルダジエン化合物、オリゴフェニレン化合物、チオキサンテン化合物、シアニン化合物、アクリジン化合物、８−ヒドロキシキノリン化合物の金属錯体、２−ビピリジン化合物の金属錯体、シッフ塩とＩＩＩ族金属との錯体、オキシン金属錯体、希土類錯体等の蛍光物質等を挙げることができる。
【００２１】
電子輸送層１７は、バンク１５および有機発光層１６の上面を覆うように、表示領域のほぼ全面に亘って形成されており、カソード１８から注入された電子を有機発光層１６へ輸送する。
カソード１８は、ＩＴＯ（酸化インジウムスズ）、ＩＺＯ（酸化インジウム亜鉛）等の光透過性材料で形成された透明電極であって、電子輸送層１７上に形成されている。
【００２２】
封止層１９は、表示領域を被覆して封止し有機発光層１６が水分や空気等に触れるのを防止するための層であって、ＳｉＮ（窒化シリコン）、ＳｉＯＮ（酸窒化シリコン）等の光透過性材料からなり、カソード１８上に形成されている。
以上のように説明したＥＬ基板１０の積層構造に関して、アノード１４と有機発光層１６との間には、透明導電層、ホール輸送層、ホール注入層等の他の層がさらに形成されていても良い。また、電子輸送層１７とカソード１８との間には、電子注入層等の他の層がさらに形成されていても良い。
【００２３】
＜ＣＦ基板＞
第２基板の一例であるＣＦ基板２０は、ガラス基板２１の下面（ＥＬ基板１０側の主面）側に、Ｒ、ＧまたはＢのカラーフィルタ２２と、ブラックマトリクス層２３とが形成された構造である。
カラーフィルタ２２は、Ｒ、ＧまたはＢに対応する波長の可視光を透過する透明層であって、公知の樹脂材料（例えば市販製品として、ＪＳＲ株式会社製カラーレジスト）等からなり、各画素に対応した領域に形成されている。
【００２４】
ブラックマトリクス層２３は、パネル内部への外光の入射を防止したり、ＣＦ基板２０越しに内部部品が透けて見えるのを防止したり、外光の照り返しを抑えて表示パネル１のコントラストを向上させたりする目的で形成されている黒色樹脂層であって、例えば光吸収性および遮光性に優れる黒色顔料を含む紫外線硬化樹脂材料からなる。
図１に示すように、ブラックマトリクス層２３は、ＥＬ基板１０の表示領域に対応した領域（以下、「表示領域対応領域」と称する。）、および、ＥＬ基板１０の周辺領域に対応した領域（以下、「周辺領域対応領域」と称する。図１において表示領域対応領域を囲繞する領域である。）に形成されている。但し、表示領域対応領域については、バンク１５が形成された部分に対応した領域のみに形成されている。すなわち、ブラックマトリクス層２３の表示領域対応領域は井桁構造である。
【００２５】
以上のように説明したＣＦ基板２０は、ガラス基板２１、カラーフィルタ２２、およびブラックマトリクス層２３の全てを具備する構成に限定されず、少なくともブラックマトリクス層２３を具備していれば良く、ガラス基板２１やカラーフィルタ２２を欠くものや、他の層をさらに含むものであっても良い。
＜封止部材＞
封止部材３０は、緻密な樹脂材料（例えばシリコーン系樹脂、アクリル系樹脂等）からなる方形枠状の部材であって、ＥＬ基板１０とＣＦ基板２０との間にＥＬ基板１０の表示領域を囲繞するように設けられており、ＥＬ基板１０の表示領域を封止し有機発光層１６が水分や空気等に触れるのを防止している。第１基板１０、第２基板２０および封止部材３０により形成される封止空間２は、乾燥させた不活性ガスが充填された空間であっても良いし、大気圧より低圧の空間であっても良い。なお、本発明に係る表示パネルに封止部材３０は必須ではなく、例えばマスキングテープを使用すれば封止部材３０を省略可能である。
【００２６】
封止部材３０には、ＥＬ基板１０とＣＦ基板２０との対向間隔を規定するスペーサ（不図示）が含まれている。スペーサは、シリカなどの材料で形成されており、円筒形、直方体や球状などの形状に形成され、ＥＬ基板１０とＣＦ基板２０に両端部を当接させた状態で配置されている。なお、封止部材３０がスペーサを含むことは本発明に係る表示パネルにおいて必須ではない。
【００２７】
＜情報標示手段および窓部＞
図１および図２に示すように、ＥＬ基板１０の表示領域を囲繞する周辺領域には、ＥＬ基板１０およびＣＦ基板２０の少なくとも一方に関する情報を標示する情報標示手段４０が設けられている。また、ブラックマトリクス層２３における情報標示手段４０に対応する領域には窓部２４が設けられている。
【００２８】
図３は、図１においてＢで示す部分の拡大図である。図３に示すように、本実施の形態に係る情報標示手段４０は、周辺領域に印刷されたＸ座標軸４１およびＹ座標軸４２と、それらＸＹ座標軸４１，４２で定義されたＸＹ平面上に形成された複数のＲ、ＧまたはＢのドットパターン４３とで構成されている。
ドットパターン４３は、有機発光層１６を構成する有機材料で形成されており、例えば、有機材料を含んだインク用いてインクジェット方式で有機発光層１６を形成する際に、インク液滴をＸＹ平面上に捨てうちすることによって形成される。なお、ドットパターン４３を形成するタイミングは、有機発光層１６を形成する際に限らず、有機発光層１６を形成する工程とは別の工程で形成しても良い。
【００２９】
ドットパターン４３を観察することによって、有機材料の状態を確認できる。そして、その結果から有機発光層１６の状態を推測し判断することができる。ここで言う有機発光層１６の状態とは、熱等による有機材料の経時的な性能劣化や、有機発光層１６の発光時にスジムラが生じているか否かである。また、ドットパターン４３を観察すれば、有機発光層１６の膜厚や、捨てうちされたインク液滴の体積等も判断できる。さらに、ＸＹ座標軸４１，４２とドットパターン４３の組み合わせによって、インク液滴の着弾精度や、ＥＬ基板１０とインクジェットヘッドとの位置関係等を判断できる。
【００３０】
図２に示すように、情報標示手段４０は、パッシベーション膜１２の上面に設けられている。情報標示手段４０が設けられている位置において、パッシベーション膜１２の上面には、アノード１４、バンク１５、有機発光層１６、電子輸送層１７およびカソード１８は形成されておらず、封止層１９だけが形成されている。ＥＬ基板１０をＣＦ基板２０側から観察した際に、封止層１９上に情報標示手段４０が認識可能である。
【００３１】
なお、情報標示手段４０は、必ずしもパッシベーション膜１２の上面に設けられる必要はなく、ＥＬ基板１０の周辺領域内であれば、ＥＬ基板１０のどのような層の上面に設けられていても良いし、その層の上面のどのような位置に設けられていても良い。また、情報標示手段４０は、必ずしも最上層に形成されている必要はなく、情報標示手段４０の上方にいずれの層が形成されていても良い。但し、ＥＬ基板１０をＣＦ基板２０側から観察した際に、情報標示手段４０が認識可能でなければならない。したがって、情報標示手段４０の上方に形成する層は、情報標示手段４０が透けて見えるように、光透過性材料を用いて形成する等しなければならない。情報標示手段４０の認識性を高めるためには、情報標示手段４０の上方に層が形成されていない、または、上方に形成された層が無色透明であることが好ましい。
【００３２】
図２に示すように、情報標示手段４０は、封止部材３０の内側、すなわち封止部材３０によって封止された封止空間２内に設けられている。このような構成とすれば、情報標示手段４０のドットパターン４３を、有機発光層１６と似た環境下におくことができ、有機材料の劣化具合などをより高い再現性をもって標示することができる。
図１に示すように、窓部２４は、ブラックマトリクス層２３の周辺領域対応領域における短辺部分の略中央位置に設けられている。図１には示されていないが、表示パネル１を平面視した場合に、情報標示手段４０は窓部２４の真下に位置している。
【００３３】
ＣＦ基板２０における窓部２４が設けられている領域には、ガラス基板２１しか存在しておらず、そのガラス基板２１は透明であるため、ＣＦ基板２０の上方から窓部２４の真下にある情報標示手段４０を認識することができる。なお、ＣＦ基板２０越しの情報標示手段４０の認識は、顕微鏡観察や目視など光学的な認識に限定されず、装置等による光学的読み取りであっても良い。
【００３４】
情報標示手段４０および窓部２４のサイズの一例を具体的に説明すると、図３に示すように、窓部２４は、例えば、Ｘ軸方向の幅Ｗ１が約１００μｍ（好ましい範囲は２μｍ〜５０００μｍ）、Ｙ軸方向の幅Ｗ２が約１００μｍ（好ましい範囲は２μｍ〜５０００μｍ）である。また、情報標示手段４０は、ドットパターン４３の直径Ｒが約３０μｍ（好ましい範囲は１μｍ〜５００μｍ）、Ｘ座標軸４１の長さが約５０μｍ（好ましい範囲は２μｍ〜５０００μｍ）、Ｙ座標軸４２の長さが約３００μｍ（好ましい範囲は２μｍ〜５０００μｍ）である。
【００３５】
なお、発明の理解容易のために情報標示手段４０や窓部２４のサイズについて具体的な数値を挙げて説明したが、これらはあくまでも典型的な一例にすぎず、本発明に係る情報標示手段４０および窓部２４のサイズはそれら数値に限定されるものではない。但し、情報標示手段４０および窓部２４が上記のサイズであれば、ＣＦ基板２０越しに情報標示手段４０を認識する際に、情報標示手段４０がブラックマトリクス層２３の陰に入らず、情報標示手段４０を窓部２４を介して十分に認識することができ、さらに表示パネル１の狭額縁化を実現できる。
【００３６】
図２に示すように、ＣＦ基板２０の端縁から窓部２４までの前記端縁と直交する方向における距離Ｗ３は、約１０ｍｍ以下であることが好ましい。距離Ｗ３が１０ｍｍ以下であれば表示パネル１の狭額縁化を実現できる。
次に、情報標示手段４０および窓部２４の変形例について説明する。
図４は、変形例に係る情報標示手段の態様を説明するための拡大図である。本発明に係る情報標示手段は、上記のような有機発光層１６の状態を標示するものに限定されず、第１基板または第２基板の少なくとも一方に関する情報を標示するものであれば良い。
【００３７】
例えば、本発明に係る情報標示手段は、第１基板の一方の主面に表示された文字や記号等の線図であっても良い。文字の一例として、図４（ａ）に示す情報標示手段４０ａは、印刷された第１基板のロット番号であり、情報標示手段４０ａに対応した領域には窓部２４ａが設けられている。
なお、予めＥＬ基板１０の表面に複数の文字や記号を印刷しておき、一部の文字や記号の上にドットパターンを形成して、一部の文字や記号を隠すことによって、情報を標示しても良い。例えば、第１基板のロット番号を標示する場合に、第１基板の周辺領域に１〜１２までの数字を印刷しておき、いずれかの数字をドットパターンで隠すことによって、第１基板の製造月を表示することが考えられる。
【００３８】
また、本発明に係る情報標示手段は、第１基板の一方の主面に表示された所定の模様であっても良い。所定の模様の一例として、図４（ｂ）に示す情報標示手段４０ｂは、印刷されたバーコードであって、情報標示手段４０ｂに対応した領域には窓部２４ｂが設けられている。また、所定の模様の一例として、図４（ｃ）に示す情報標示手段４０ｃは、印刷されたＱＲコードであって、情報標示手段４０ｃに対応した領域にはＱＲコードに対応した領域に窓部２４ｃが設けられている。
【００３９】
また、本発明に係る情報標示手段は、第１基板の一方の主面に設けられた所定の形状であっても良い。所定の形状の一例として、図４（ｄ）に示す情報標示手段４０ｄは、ピラミッド状の構造物であって、情報標示手段４０ｄに対応した領域には構造物に対応した領域に窓部２４ｄが設けられている。なお、特定の形状はピラミッド状に限定されず、第１基板および第２基板に関する情報を標示できる形状であればどのような形状であっても良い。
【００４０】
このように、本発明に係る情報標示手段は、文字や記号等を表示して直接的に情報を伝える表示物だけに限られず、第１の実施形態に係る情報標示手段４０や、変形例に係る情報標示手段４０ｄのように、情報標示手段４０，４０ｄを認識した者がその結果に推測を加えて情報を得るような、間接的に情報を伝えるものであっても良い。
図５は、変形例に係る窓部の態様を説明するための正面図である。本発明に係る窓部を設ける位置は、第１の実施形態に係る窓部２４のように、ブラックマトリクス層２３の周辺領域対応領域の短辺部分の中央位置に限定されず、ブラックマトリクス層２３の周辺領域対応領域内であればどのような位置であっても良い。
【００４１】
例えば、図５に示す窓部２４ｅのように、ブラックマトリクス層２３の周辺領域対応領域の長辺部分の中央位置に設けられていても良い。また、窓部２４ｅおよび窓部２４ｆの組み合わせのように、周辺領域対応領域における対向する２辺部分の中央位置に一対設けられていても良い。また、窓部２４ｆ、窓部２４ｇおよび窓部２４ｈの組み合わせのように、周辺領域対応領域の１辺部分に複数並べて設けられていても良い。また、窓部２４ｉのように、周辺領域対応領域の１辺部分のほぼ全長に亘って設けられていても良い。また、窓部２４ｊのように、周辺領域対応領域のコーナー部分に設けられていても良い。また、本発明に係る窓部の形状は、窓部２４のような方形ではなく窓部２４ｊのような円形や、その他、情報標示手段４０が認識できるどのような形状であっても良い。  
【００４２】
なお、以上に説明したような窓部の位置や形状の変形例は、第３の実施形態に係る表示パネル２０１のように、窓部２２４が封止部材３０の外側に設けられる場合にも適用可能である。
＜表示パネルの検査方法＞
第１の実施形態に係る表示パネル１の検査方法は、情報標示手段４０が標示する情報を、ＣＦ基板２０越しに窓部２４を介して認識し、認識した情報に基づいてＥＬ基板１０およびＣＦ基板２０の少なくとも一方に関する状態を判断する。情報標示手段４０を認識する方法としては、情報標示手段４０の位置や大きさ形状等を光学的に認識することが考えられる。
【００４３】
［第２の実施形態］
第２の実施形態に係る表示パネルは、情報標示手段が封止層によって封止されている点において、第１の実施形態に係る表示パネル１と大きく相違する。以下では、第１の実施形態に係る表示パネル１と大きく相異する点についてのみ説明し、共通の構成部分には第１の実施形態と同じ符号を付してその説明は省略する。
【００４４】
図６は、第２の実施形態に係る表示パネルを示す端面図である。図６に示すように、第２の実施形態に係る表示パネル１０１は、封止層１１９がＥＬ基板１１０の表示領域のみならず、周辺領域にも形成されている。一方、情報標示手段４０は、第１の実施形態に係る表示パネル１と同じ位置に設けられている。そのため、情報標示手段４０は、光透過性材料からなる封止層１１９によって被覆され封止されている。
【００４５】
ＥＬ基板１１０をＣＦ基板２０側から観察した場合に、封止層１１９越しに情報標示手段４０が透けて見える。ＣＦ基板２０における窓部２４が設けられている領域には、ガラス基板２１しか存在しておらず、そのガラス基板２１が透明であるため、ＣＦ基板２０の上方から窓部２４の真下にある情報標示手段４０を視認することができる。
第２の実施形態に係る表示パネル１０１のような構成とすれば、情報標示手段４０のドットパターン４３を、有機発光層１６と似た環境下におくことができ、有機材料の劣化具合などをより高い再現性をもって標示できる。
【００４６】
［第３の実施形態］
第３の実施形態に係る表示パネルは、情報標示手段が封止部材の外側（枠外）に形成されている点において、第１の実施形態に係る表示パネル１と大きく相違する。以下では、第１の実施形態に係る表示パネル１と大きく相異する点についてのみ説明し、共通の構成部分には第１の実施形態と同じ符号を付してその説明は省略する。
【００４７】
図７は、第３の実施形態に係る表示パネルを示す正面図である。図８は、第３の実施形態に係る表示パネルを示す端面図である。図７および図８に示すように、第３の実施形態に係る表示パネル２０１は、情報標示手段２４０が封止空間２の外側、すなわち方形枠状の封止部材３０によって封止されていない枠外の領域に設けられている。一方、ブラックマトリクス層２２３の窓部２２４も情報標示手段２４０に対応する領域に設けられており、ＣＦ基板２２０越しに窓部２２４を介して情報標示手段２４０を認識することができる。
【００４８】
なお、図７においてＣで示す部分は、図３に示す情報標示手段４０および窓部２４と同じ様になっており、情報標示手段２４０はＸＹ座標軸および複数のドットパターンで構成される。
第３の実施形態に係る表示パネル２０１のような構成とした場合は、情報標示手段２４０が封止部材３０によって封止されていないため、情報標示手段２４０が封止空間２内に配置された内部部品と異なった環境下に晒されることになるが、封止空間２内に情報標示手段２４０を設けるためのスペースを確保する必要がないため、ＥＬ基板１０の周辺領域の幅を狭くすることができる。したがって、表示パネル２０１の狭額縁化に有効である。
【００４９】
特に、変形例に係る情報標示手段４０ａ，４０ｂ，４０ｃ，４０ｄのように、特に表示パネル２０１の内部部品と似た環境下におく必要のない情報標示手段４０ａ，４０ｂ，４０ｃ，４０ｄの場合は、第３の実施形態に係る表示パネル２０１のような構成が有効である。
第３の実施形態に係る表示パネル２０１のように、ＥＬ基板１０とＣＦ基板２２０とに挟まれた位置に情報標示手段２４０を設ければ、表示パネル２０１を取り扱う際に、情報標示手段２４０に物が当たって、情報標示手段２４０が擦れて損傷してしまうようなことが起こり難い。
【００５０】
［第４の実施形態］
図９は、第４の実施形態に係る表示装置を用いたテレビシステムを示す斜視図である。図９に示すように、第４の実施形態に係る表示装置３００は、Ｒ、ＧまたはＢの光を出射する各画素が行方向及び列方向にマトリックス状に規則的に配置されてなる有機ＥＬディスプレイであって、各画素が有機ＥＬ素子で構成されている。
【００５１】
図１０は、第４の実施形態に係る表示装置の全体構成を示す図である。図１０に示すように、第４の実施形態に係る表示装置３００は、本発明に係る表示パネル３１０と、これに接続された駆動制御部３２０とを備える。駆動制御部３２０は、４つの駆動回路３２１〜３２４と制御回路３２５とから構成されている。なお、実際の表示装置３００では、表示パネル３１０に対する駆動制御部３２０の配置や接続関係については、これに限られない。
［変形例］
以上、本発明に係る表示パネル、表示装置および表示パネルの検査方法を第１〜第４の実施形態およびそれらの変形例に基づいて具体的に説明してきたが、本発明に係る表示パネル、表示装置および表示パネルの検査方法は、第１〜第４の実施形態およびそれらの変形例に限定されない。例えば、第１〜第４の実施形態およびそれらの変形例の部分的な構成を適宜組み合わせてなる表示パネル、表示装置および表示パネルの検査方法であっても良い。
【００５２】
また、例えば、図２に示す第１の実施形態に係る表示パネル１において、封止空間２には、エポキシ系樹脂、アクリル系樹脂、シリコーン系樹脂等の透明樹脂材料が充填されていても良い。封止空間２に透明樹脂材料を充填することによって、表示パネル１の封止強度・機械的強度・光取出し効率を向上させることができる。
また、封止空間２に透明樹脂材料を充填する場合は、透明樹脂材料は表示領域だけでなく周辺領域にも充填しても良い。この場合の封止部材３０は、透明樹脂材料を封止空間２に閉じ込める役割を果たす。そして、周辺領域に充填された透明樹脂材料によって、情報標示手段が封止されていても良い。この構成により、情報標示手段をより有機発光層と似た環境下におくことができる。
【００５３】
また、ＥＬ基板１０とＣＦ基板２０との間には、ＥＬ基板１０の表示領域を封止するために、封止部材３０に加えて、表示領域を取り囲むよう低融点のフリットガラスで形成された枠状のフリットガラス部をさらに設けても良い。その場合、情報標示手段は、フリットガラス部の枠内に設けられていても良いし、枠外に設けられていても良い。
【産業上の利用可能性】
【００５４】
本発明に係る表示パネルおよび表示装置は、例えば、家庭用もしくは公共施設、あるいは業務用の各種表示装置、テレビジョン装置、携帯型電子機器用ディスプレイ等に好適に利用可能である。
【符号の説明】
【００５５】
１，１０１，２０１  表示パネル
１０，１１０  第１基板
１６  有機発光層
１９，１１９  封止層
２０，２２０  第２基板
２３，２２３  ブラックマトリクス層
２４，２４ａ〜２４ｊ，２２４  窓部
３０，１３０  封止部材
４０，４０ａ〜４０ｄ，２４０  情報標示手段
４０ｂ  バーコード
４１  Ｘ座標軸
４２  Ｙ座標軸
４３  ドットパターン
３００  表示装置
【図１】
2012252905.tif 000003
【図２】
2012252905.tif 000004
【図３】
2012252905.tif 000005
【図４】
2012252905.tif 000006
【図５】
2012252905.tif 000007
【図６】
2012252905.tif 000008
【図７】
2012252905.tif 000009
【図８】
2012252905.tif 000010
【図９】
2012252905.tif 000011
【図１０】
2012252905.tif 000012